(57)【要約】【課題】  ＩＣチップのチップ電極と外部配線の外部電極端子との間に十分な数量の導電粒子を介在させることにより、チップ電極と外部電極端子とを確実に導通させる。【解決手段】  液晶駆動用ＩＣチップ１１の出力端子１２ａおよび入力端子１２ｂと液晶表示パネル１のパネル電極端子６とを接続する際に、流動する導電粒子１４を堰き止めるための導電粒子用堰１７を、出力端子１２ａおよび入力端子１２ｂにおけるパネル電極端子６と対向する一面であって導電粒子１４の流動方向における下流側の一端部分に、パネル電極端子６側に突出して形成する。【選択図】    図２
2006156785.tif 000002
【特許請求の範囲】
【請求項１】
表示パネルを駆動するためのＩＣチップのチップ電極と、前記チップ電極に対応して形成された外部配線の外部電極端子とが、導電粒子が含有された接着材を介して接続されているＩＣチップと外部配線との接続構造において、
前記チップ電極と前記外部電極端子とを接続する際に、流動する前記導電粒子を堰き止めるための導電粒子用堰が、前記チップ電極における前記外部電極端子と対向する一面であって前記導電粒子の流動方向における下流側端縁に、前記外部電極端子側に突出して形成されていることを特徴とするＩＣチップと外部配線との接続構造。
【請求項２】
前記導電粒子用堰が、前記外部電極端子の長手方向に直交する前記チップ電極の一端部分に形成されている請求項１に記載のＩＣチップと外部配線との接続構造。
【請求項３】
前記導電粒子用堰の突出高さ寸法が、前記導電粒子の直径寸法の１／４〜１／２の寸法によって形成されている請求項１または２に記載のＩＣチップと外部配線との接続構造。
【請求項４】
前記導電粒子用堰の前記導電粒子を堰き止める内側端縁が、前記導電粒子の流動方向における下流側に湾曲して形成されている請求項１から３のいずれか１項に記載のＩＣチップと外部配線との接続構造。
【発明の詳細な説明】
【技術分野】
【０００１】
本発明はＩＣチップと外部配線との接続構造に係り、特にＩＣチップのチップ電極と、表示パネルやフレキシブル配線基板等における外部配線の外部電極端子とを複数の導電粒子が含有された接着材を介して接続するのに好適なＩＣチップと外部配線との接続構造に関する。
【背景技術】
【０００２】
従来より、一対の基板の所定の部分に選択的に電界を与えることにより、特定の図形や文字等の情報を表示する表示パネルが、携帯電話やコンピュータ等の種々の電気機器の表示パネルとして多用されている。
【０００３】
この表示パネルのパネル電極端子は、表示パネルを駆動するための駆動用ＩＣチップのチップ電極と電気的に接続されるようになっており、例えば、液晶駆動用ＩＣチップは、液晶表示パネル上に直接実装されることにより、またはフレキシブル配線基板等に実装されることにより間接的に、液晶表示パネルに接続されるようになっている。
【０００４】
図５は、従来の液晶駆動ＩＣチップと液晶表示パネルとの接続構造の一例を示す模式的断面図である。
【０００５】
図５に示すように、液晶表示パネル２１には、一対の基板２２の相互に対向する内面にパネル電極２３が設けられ、一方の基板２２は、他方の基板２２と比較して平面形状において大きく形成された端子部２４を有している。端子部２４には、パネル電極２３が延設されて第１パネル電極端子２５ａとされており、また、前記端子部２４の一端部には、パネル電極２３および第１パネル電極端子２５ａと独立して形成された第２パネル電極端子２５ｂが設けられている。
【０００６】
また、液晶駆動用ＩＣチップ２６の基体２６ａには、第１パネル電極端子２５ａに対応する複数のチップ電極である出力端子３２ａ、および第２パネル電極端子２５ｂに対応する複数のチップ電極である入力端子３２ｂが設けられている。
【０００７】
液晶駆動用ＩＣチップ２６をこの液晶表示パネル２１に実装するには、まず、端子部２４におけるパネル電極端子２５ａ、２５ｂが形成されている部分に、複数の導電粒子２８が含有された接着材２９を塗布する。続いて、接着材２９を介して液晶駆動用ＩＣチップ２６の出力端子３２ａを第１パネル電極端子２５ａに対向させるとともに、液晶駆動用ＩＣチップ２６の入力端子３２ｂを第２パネル電極端子２５ｂに対向させて、端子部２４上に液晶駆動用ＩＣチップ２６を載置した後、液晶駆動用ＩＣチップ２６に圧力を加える。そして、液晶表示パネル２１の各パネル電極端子２５ａ、２５ｂと液晶駆動用ＩＣチップ２６の出力端子３２ａおよび入力端子３２ｂとを、接着材２９の導電粒子２８を介して電気的に接続することにより、液晶駆動用ＩＣチップ２６を液晶表示パネル２１に実装するようになっている。
【０００８】
しかし、前述のように液晶表示パネル２１に液晶駆動用ＩＣチップ２６を実装するにあたり、接着材２９を介して液晶駆動用ＩＣチップ２６を加圧する際、図６に示すように、接着材２９に含有された導電粒子２８が液晶駆動用ＩＣチップ２６の外縁側に流動してしまうことになる。この結果、各パネル電極端子２５ａ、２５ｂと入力端子３２ｂおよび出力端子３２ａとの間に導通を図るために十分な数量の導電粒子２８が残留せずに、導通を図ることができないおそれがあるという問題を有していた。
【０００９】
さらに、近年の液晶表示パネル２１の狭額縁化やパネル電極端子２５ａ、２５ｂのファインピッチ化にともない、パネル電極端子２５ａ、２５ｂと出力端子３２ａおよび入力端子３２ｂとの接続面積も狭くなってしまい、各パネル電極端子２５ａ、２５ｂと出力端子３２ａおよび入力端子３２ｂとの間に導通を図るために十分な数量の導電粒子２８を残留させることができず。導通を図ることが一層困難になっていた。
【００１０】
一方、接着材２９における導電粒子２８の密度を上昇させることにより、各パネル電極端子２５ａ、２５ｂと出力端子３２ａおよび入力端子３２ｂとの間に介在する導電粒子２８の数量を増加させることも考えられる。しかし、このような場合には、各パネル電極端子２５ａ、２５ｂ間や出力端子３２ａ間さらには入力端子３２ｂ間に多数の導電粒子２８が位置してしまう結果、隣接するチップ電極間等においてショートしてしまうおそれがあるという問題を有していた。
【発明の開示】
【発明が解決しようとする課題】
【００１１】
本発明はこれらの点に鑑みてなされたものであり、ＩＣチップのチップ電極と外部配線の外部電極端子との間に、導通を図るために十分な数量の導電粒子を介在させることにより、チップ電極と外部電極端子とを確実に導通させることができるＩＣチップと外部配線との接続構造を提供することを目的とする。
【課題を解決するための手段】
【００１２】
前記目的を達成するため、請求項１に記載の発明に係るＩＣチップと外部配線との接続構造の特徴は、表示パネルを駆動するためのＩＣチップのチップ電極と、前記チップ電極に対応して形成された外部配線の外部電極端子とが、導電粒子が含有された接着材を介して接続されているＩＣチップと外部配線との接続構造において、前記チップ電極と前記外部電極端子とを接続する際に、流動する前記導電粒子を堰き止めるための導電粒子用堰が、前記チップ電極における前記外部電極端子と対向する一面であって前記導電粒子の流動方向における下流側端縁に、前記外部電極端子側に突出して形成されている点にある。
【００１３】
ここで、外部配線には、液晶表示パネル等の表示パネルや、フレキシブル配線基板の配線等、ＩＣチップに電気的に接続される種々の配線を含むものとする。
【００１４】
この請求項１に記載の発明によれば、チップ電極を外部電極端子に接続する際に、導電粒子用堰により導電粒子の流動を堰き止めることにより、導電粒子用堰の導電粒子を堰き止める内側端縁、すなわちパネル電極端子上に複数の導電粒子を滞留させることができる。
【００１５】
また、請求項２に記載の発明に係るＩＣチップと外部配線との接続構造の特徴は、前記導電粒子用堰が、前記外部電極端子の長手方向に直交する前記チップ電極の一端部分に形成されている点にある。
【００１６】
この請求項２に記載の発明によれば、導電粒子用堰を外部電極端子の長手方向に直交する一端部分に形成することにより、チップ電極と外部電極端子との接続面積をなるべく広く確保することができ、より多くの導電粒子を、チップ電極と外部電極端子との間の介在させることができる。
【００１７】
また、請求項３に記載の発明に係るＩＣチップと外部配線との接続構造の特徴は、前記導電粒子用堰の突出高さ寸法が、前記導電粒子の直径寸法の１／４〜１／２の寸法によって形成されている点にある。
【００１８】
この請求項３に記載の発明によれば、導電粒子用堰１７の突出高さ寸法を、導電粒子の直径寸法の１／２〜１／４の寸法に形成することにより、ＩＣチップへの加圧によって導電粒子が多少潰された場合であっても、チップ電極と外部電極端子との導通を確実に確保することができる。
【００１９】
さらに、請求項４に記載の発明に係るＩＣチップと外部配線との接続構造の特徴は、前記導電粒子用堰の前記導電粒子を堰き止める内側端縁が、前記導電粒子の流動方向における下流側に湾曲して形成されている点にある。
【００２０】
この請求項４に記載の発明によれば、導電粒子用堰に堰き止められた導電粒子を湾曲して形成された各導電粒子用堰の内側端縁に確実に滞留させることができ、より多くの導電粒子をチップ電極と外部電極端子との間に介在させることができる。
【発明の効果】
【００２１】
以上述べたように、本発明に係るＩＣチップと外部配線との接続構造によれば、チップ電極と外部電極端子との間に複数の導電粒子を介在させた状態でチップ電極と外部電極端子とを接続させることができ、これにより、チップ電極と外部電極端子とを確実に導通させることができる。
【発明を実施するための最良の形態】
【００２２】
以下、本発明に係るＩＣチップと外部配線との接続構造の一実施形態を図１から図４を参照して説明する。本実施形態においては、ＩＣチップとして液晶表示パネルを駆動するための液晶駆動用ＩＣチップと、外部配線としての液晶表示パネルの配線との接続を用いて説明する。
【００２３】
図１は、本実施形態に係る液晶駆動用ＩＣチップと液晶表示パネルとの接続構造を示す模式的平面図であり、図２は、図１の接続構造のＡ−Ａにおける模式的断面図である。
【００２４】
図１および図２に示すように、液晶表示パネル１は、一対の透明基板２を有し、両透明基板２のうち第１透明基板２ａは、第２透明基板２ｂと比較して平面形状において大きく形成された端子部３を有している。
【００２５】
両透明基板２の相互に対向する内面には、ＩＴＯ（Indium Tin Oxide：インジウムスズ酸化物）等からなる複数のパネル電極５が設けられており、各パネル電極５は、端子部３に延設されて第１パネル電極端子６ａとされている。
【００２６】
また、端子部３の一端部には、各パネル電極５および各第１パネル電極端子６ａと独立した複数の第２パネル電極端子６ｂが設けられている。
【００２７】
両透明基板２は、内面の外周縁に塗布されたシール材８によって一体に接合されており、両透明基板２およびシール材８に囲まれた内部には、液晶９およびスペーサ（図示せず）が封入されている。
【００２８】
一方、液晶駆動用ＩＣチップ１１においては、図３に示すように、平面形状が矩形状の基体１１ａの一面に回路配線１１ｂが形成されており、基体１１ａの一面には、第１パネル電極端子６ａおよび第２パネル電極端子６ｂに対応する位置を除く所定の部分に、回路配線１１ｂの端部を被覆するようにパッシベーション膜１１ｃが形成されている。パッシベーション膜１１ｃに被覆された端部を含む回路配線１１ｂ上における所定位置には、第１パネル電極端子６ａに対応する複数のチップ電極としての出力端子１２ａ、および第２パネル電極端子６ｂに対応する複数のチップ電極としての入力端子１２ｂが設けられている。出力端子１２ａおよび入力端子１２ｂは、パッシベーション膜１１ｃの端縁を挟んで形成されるため、突出側の頂面の中央部が凹んだ形状に形成されている。
【００２９】
そして、液晶駆動用ＩＣチップ１１は、出力端子１２ａが第１パネル電極端子６ａに対向するとともに、入力端子１２ｂが第２パネル電極端子６ｂに対向するようにして液晶表示パネル１の端子部３上に載置され、複数の導電粒子１４を含有した接着材１５を介して実装されるようになっている。
【００３０】
液晶駆動用ＩＣチップ１１の出力端子１２ａおよび入力端子１２ｂには、出力端子１２ａおよび入力端子１２ｂと各パネル電極端子６との接続時において液晶駆動用ＩＣチップ１１の外縁方向に流動する各導電粒子１４を堰き止めるための導電粒子用堰１７が設けられている。
【００３１】
各導電粒子用堰１７は、図４に示すように、出力端子１２ａおよび入力端子１２ｂのうち導電粒子１４の流動方向における下流側端縁であって、各パネル電極端子６ａ、６ｂの長手方向に直交する一端部に、パネル電極端子６側に突出して形成されている。各導電粒子用堰１７の突出高さ寸法は、導電粒子１４の直径寸法よりも短く、好ましくは、導電粒子１４の直径寸法の１／４〜１／２とされ、直径４μｍの導電粒子１４が含有された接着材１５を用いる場合には、導電粒子用堰１７を１〜２μｍの突出高さ寸法に形成するとよい。
【００３２】
また、各導電粒子用堰１７の内側端縁１７ａを、導電粒子１４の流動方向における下流側に湾曲するように形成されている。
【００３３】
導電粒子用堰１７は、出力端子１２ａおよび入力端子１２ｂを所定の段差のある型に押しつけることにより形成されている。
【００３４】
なお、導電粒子用堰１７の形成方法は、本実施形態に限定されるものではなく、例えば、導電粒子用堰１７の形成位置に相当する部分のパッシベーション膜１１ｃの膜厚を他の部分よりも厚く形成し、膜厚が厚く形成されたパッシベーション膜１１ｃ上から出力端子１２ａおよび入力端子１２ｂを形成することにより形成することもできる。
【００３５】
次に、本実施形態の作用について説明する。
【００３６】
まず、端子部３の各パネル電極端子６における液晶駆動用ＩＣチップ１１の配置位置に、導電粒子１４が含有された接着材１５を塗布する。
【００３７】
続いて、接着材１５を介して出力端子１２ａと第１パネル電極端子６ａとの位置あわせ、および入力端子１２ｂと第２パネル電極端子６ｂとの位置あわせを行いながら、端子部３上に液晶駆動用ＩＣチップ１１を載置した状態で、液晶駆動用ＩＣチップ１１上に圧力を加える。
【００３８】
すると、液晶駆動用ＩＣチップ１１に圧力が加わることにより、各導電粒子１４が液晶駆動用ＩＣチップ１１の外縁側に流動する。このとき、パネル電極端子６上に位置する導電粒子１４は、出力端子１２ａおよび入力端子１２ｂの導電粒子用堰１７によって堰き止められ、導電粒子用堰１７の内側端縁１７ａにおいて滞留することとなる。
【００３９】
そして、出力端子１２ａおよび入力端子１２ｂによって導電粒子１４を潰しながら、導電粒子用堰１７のうち側端縁１７ａに導電粒子１４を介在させた状態において、接着材１５を固化させて、液晶駆動用ＩＣチップ１１の出力端子１２ａおよび入力端子１２ｂと、液晶表示パネル１の各パネル電極端子６とを、各導電粒子１４を介して電気的に接続する。これにより、液晶駆動用ＩＣチップ１１を液晶表示パネル１に実装する。
【００４０】
本実施形態によれば、液晶駆動用ＩＣチップ１１を液晶表示パネル１に実装する際に、導電粒子用堰１７により導電粒子１４の流動を堰き止めて、導電粒子用堰１７の内側端縁１７ａ、すなわちパネル電極端子６上に複数の導電粒子１４を滞留させることができる。
【００４１】
したがって、出力端子１２ａおよび入力端子１２ｂとパネル電極端子６との間に複数の導電粒子１４を介在させた状態で出力端子１２ａおよび入力端子１２ｂとパネル電極端子６とを接続させることができ、これにより、出力端子１２ａおよび入力端子１２ｂとパネル電極端子６とを確実に導通させることができる。
【００４２】
この結果、従来は、出力端子１２ａおよび入力端子１２ｂとパネル電極端子６との接続面積に対して５０％の面積分の数量の導電粒子１４を介在させることができたが、本実施形態によれば、６０〜７０％の面積分の数量の導電粒子１４を介在させることができた。
【００４３】
また、導電粒子用堰１７の突出高さ寸法は、導電粒子１４の直径寸法の１／２〜１／４の寸法に形成されているので、液晶駆動用ＩＣチップ１１への加圧により導電粒子１４が多少潰された場合であっても、出力端子１２ａおよび入力端子１２ｂとパネル電極端子６との導通を確実に確保することができる。
【００４４】
さらに、各導電粒子用堰１７の内側端縁１７ａは、導電粒子１４の流動方向における下流側に湾曲して形成されているので、各導電粒子用堰１７に堰き止められた導電粒子１４を確実に各導電粒子用堰１７の内側端縁１７ａに滞留させることができ、より多くの導電粒子１４をパネル電極端子６と出力端子１２ａ等との間に介在させることができる。
【００４５】
さらにまた、導電粒子用堰１７が、パネル電極端子６の長手方向に直交するチップ電極の一端部分に形成されているので、出力端子１２ａおよび入力端子１２ｂとパネル電極端子６との接続面積をなるべく広く確保することができ、より多くの導電粒子１４を、出力端子１２ａおよび入力端子１２ｂとパネル電極端子６との間の介在させることができる。
【００４６】
なお、本発明は前記実施形態に限定されるものではなく、必要に応じて種々変更することが可能である。
【００４７】
例えば、本実施形態においては外部配線として液晶表示パネル１のパネル電極端子６を用いて説明しているが、これに限定されるものではなく、さらには、ＩＣチップをフレキシブル配線基板に実装する場合のＩＣチップとフレキシブル配線基板の配線との接続構造に用いてもよい。
【００４８】
また、導電粒子用堰１７の形状等は、本実施形態に限定されるものではなく、例えば、各導電粒子用堰１７の内側端縁１７ａを、直線状に形成してもよい。さらに、本実施形態において導電粒子用堰１７はチップ電極の一端縁に形成されているが、例えば、矩形状の基体１１ａにおける隅部に位置するチップ電極の導電粒子用堰１７においては、導電粒子１４の流動方向における下流側端縁、すなわち液晶駆動用ＩＣチップ１１の外縁側の二端縁に、平面形状がＬ字状となるように形成してもよい。
【図面の簡単な説明】
【００４９】
【図１】本発明に係るＩＣチップと外部配線との接続構造の一実施形態を示す模式的平面図
【図２】図１のＡ−Ａにおける模式的断面図
【図３】図２のチップ電極を拡大した模式的断面図
【図４】図１の要部を示す模式的平面図
【図５】従来のＩＣチップと外部配線との接続構造の一例を示す模式的断面図
【図６】図５の要部を示す模式的平面図
【符号の説明】
【００５０】
１  液晶表示パネル
２ａ  第１透明基板
２ｂ  第２透明基板
３  端子部
５  パネル電極
６ａ  第１パネル電極端子
６ｂ  第２パネル電極端子
１１  液晶駆動用ＩＣチップ
１２ａ  出力端子
１２ｂ  入力端子
１４  導電粒子
１５  接着材
１７  導電粒子用堰
１７ａ  内側端縁
【図１】
2006156785.tif 000003
【図２】
2006156785.tif 000004
【図３】
2006156785.tif 000005
【図４】
2006156785.tif 000006
【図５】
2006156785.tif 000007
【図６】
2006156785.tif 000008